(57)【要約】【課題】保冷材とセットで使用され得る容器において、非使用時の保管・運搬効率を高めることのできる容器を提供する。【解決手段】折畳み容器１は、平面視略矩形板状をなす底壁構成部２と、底壁構成部２の各側辺部に対応して、底壁構成部２の各側辺部の上方に立設される起立位置と、底壁構成部の中央部側に寝かされる寝かせ位置との間を回動可能に設けられた側壁部６、７とを備える。また、一対の短辺側側壁部７が寝かせ位置とされることで、長辺側側壁部６を短辺側側壁部７の上方に寝かせ位置とすることが可能に構成されている。折畳み容器１が折畳み状態とされた場合には、寝かせ位置とされた短辺側側壁部７と、寝かせ位置とされた長辺側側壁部６との間に、保冷材３９を収容可能とする保冷材収容部４０が設けられる。【選択図】      図９
2018172126.tif 000002
【特許請求の範囲】
【請求項１】
平面視略矩形板状をなす底壁構成部と、
前記底壁構成部の各側辺部に対応して、前記底壁構成部の各側辺部の上方に立設される起立位置と、前記底壁構成部の中央部側に寝かされる寝かせ位置との間を回動可能に設けられた側壁部とを備える容器において、
前記底壁構成部は、略矩形板状をなす底壁部と、前記底壁部の各側辺部に沿ってそれぞれ上方に突出する土台部とを備え、
前記各土台部は、前記各側壁部を軸支する軸受部を備え、
前記土台部は、前記底壁部の相対する一対の側辺部に沿って設けられる一対の第１土台部と、前記一対の第１土台部の両端部間をそれぞれ連結するようにして、前記底壁部の側辺部に沿って設けられる一対の第２土台部とを備え、
前記側壁部は、前記各第１土台部に連結される一対の第１側壁部と、前記各第２土台部に連結される一対の第２側壁部とを備え、
前記第１土台部の前記軸受部は、前記第２土台部の前記軸受部よりも上方に位置し、
一対の前記第２側壁部が前記寝かせ位置とされることで、前記第１側壁部を前記第２側壁部の上方に前記寝かせ位置とすることが可能に構成され、
全ての前記側壁部が前記寝かせ位置とされた場合に、前記寝かせ位置とされた前記第２側壁部と、前記寝かせ位置とされた前記第１側壁部との間に、保冷材を収容可能とする保冷材収容部が設けられることを特徴とする容器。
【請求項２】
前記寝かせ位置とされた一対の前記第２側壁部のうち少なくとも一方は、前記底壁部の上面と略平行して延び、前記底壁部と面で当接していることを特徴とする請求項１に記載の容器。
【請求項３】
前記寝かせ位置とされた前記第１側壁部は、前記保冷材収容部に設置された保冷材の上面、又は、前記各第２土台部の上面と当接し、前記底壁部の上面と略平行して延びることを特徴とする請求項１又は２に記載の容器。
【請求項４】
一対の前記第１側壁部が前記寝かせ位置とされた場合に、前記一対の第１側壁部が同じ高さ位置で前記寝かせ位置とされるとともに、一対の前記第１土台部間の領域の略全体が上方から一対の前記第１側壁部により覆われ、
前記第２土台部において、前記第２側壁部が前記寝かせ位置にある場合に前記保冷材収容部と連通する開口部が設けられることを特徴とする請求項１乃至３のいずれかに記載の容器。
【請求項５】
上記請求項１乃至４のいずれかに記載された容器を使用した容器の段積み構造において、
前記側壁部、及び、前記底壁構成部のうち少なくとも前記各側壁部の一部は、発泡合成樹脂製の断熱部材により構成され、
全ての前記側壁部が前記起立位置とされた状態である組立状態とされ、内側に保冷材が収容された容器と、
前記組立状態とされた容器の上側に載置され、全ての前記側壁部が前記寝かせ位置とされた状態である折畳み状態とされ、前記保冷材収容部に保冷材が収容された容器とを備えることを特徴とする容器の段積み構造。
【発明の詳細な説明】
【技術分野】
【０００１】
本発明は、物品の運搬等に使用される容器、及び、容器の段積み構造に関するものである。
【背景技術】
【０００２】
従来、保冷材等を収納し、内部の温度管理を図る容器が知られている。さらに、非使用時（物品を収容していない状態）の保管・運搬効率等を高めるべく、下側の容器の側壁部の内面と、上側のトレーの側壁部の外面とを対向させるようにして、容器同士を上下に重ねられるように構成する（ネスティング可能に構成する）といった技術がある（例えば、特許文献１等参照。）。
【先行技術文献】
【特許文献】
【０００３】
【特許文献１】特開平１１−１２４１４０号公報
【発明の概要】
【発明が解決しようとする課題】
【０００４】
ところで、上記特許文献１のようにネスティングを行う構成では、積み重ねられた容器の高さを抑制することができるものの、下側の容器に対し上側の容器の下側半分程度を挿入させることが限度となっており、容器の非使用時の保管・運搬効率をより高めることが求められている。また、容器とセットで使用される保冷材についても、容易に保管できるようにすることが望まれる。
【０００５】
本発明は、上記例示した問題点等を解決するためになされたものであって、その目的は、保冷材とセットで使用され得る容器において、非使用時の保管・運搬効率を高めることのできる容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．平面視略矩形板状をなす底壁構成部と、
前記底壁構成部の各側辺部に対応して、前記底壁構成部の各側辺部の上方に立設される起立位置と、前記底壁構成部の中央部側に寝かされる寝かせ位置との間を回動可能に設けられた側壁部とを備える容器において、
前記底壁構成部は、略矩形板状をなす底壁部と、前記底壁部の各側辺部に沿ってそれぞれ上方に突出する土台部とを備え、
前記各土台部は、前記各側壁部を軸支する軸受部を備え、
前記土台部は、前記底壁部の相対する一対の側辺部に沿って設けられる一対の第１土台部と、前記一対の第１土台部の両端部間をそれぞれ連結するようにして、前記底壁部の側辺部に沿って設けられる一対の第２土台部とを備え、
前記側壁部は、前記各第１土台部に連結される一対の第１側壁部と、前記各第２土台部に連結される一対の第２側壁部とを備え、
前記第１土台部の前記軸受部は、前記第２土台部の前記軸受部よりも上方に位置し、
一対の前記第２側壁部が前記寝かせ位置とされることで、前記第１側壁部を前記第２側壁部の上方に前記寝かせ位置とすることが可能に構成され、
全ての前記側壁部が前記寝かせ位置とされた場合に、前記寝かせ位置とされた前記第２側壁部と、前記寝かせ位置とされた前記第１側壁部との間に、保冷材を収容可能とする保冷材収容部が設けられることを特徴とする容器。
【０００８】
手段１によれば、非使用時の保管・運搬効率に優れる折畳み式の容器において、全ての側壁部が寝かせ位置とされた状態である折畳み状態としても、保冷材（保温材も含む）を、寝かせ位置にある第２側壁部と、寝かせ位置にある第１側壁部との間に収容することができる。このように、保冷材が折畳み状態にある容器の内側に収容されることで、例えば、保冷材を容器とは別に保管するような場合に比べ、保冷材の管理のし易さを飛躍的に向上させることができる。従って、容器の非使用時の保管・運搬効率を高めるとともに、保冷材についても好適に保管することができる。また、容器の折畳み状態では、保冷材の上方において第１側壁部により蓋がされる格好となるため、保冷材の脱落等を防止することができる。
【０００９】
尚、「前記側壁部、及び、前記底壁構成部の一部、又は、ほぼ全部が断熱材により構成されていること」としてもよい。例えば、「発泡合成樹脂により構成され、前記側壁部の内面側に装着される側壁断熱部材を備え、前記底壁構成部、及び、前記側壁部は、非発泡合成樹脂により構成され、前記側壁部は、当該側壁部の厚み方向において、前記側壁断熱部材の少なくとも一部を収容する側壁断熱収容部を備え、前記側壁部に前記側壁断熱部材を装着した状態のまま、前記側壁部を前記起立位置と前記寝かせ位置とに変位可能に構成されていること」としてもよい。
【００１０】
手段２．前記寝かせ位置とされた一対の前記第２側壁部のうち少なくとも一方は、前記底壁部の上面と略平行して延び、前記底壁部と面で当接していることを特徴とする手段１に記載の容器。
【００１１】
手段２によれば、寝かせ位置とされた第２側壁部が安定して支持され、寝かせ位置とされた第２側壁部の上側に保冷材が載置される等しても、第２側壁部や第２土台部の軸受部の変形や損傷等を抑止することができる。さらに、寝かせ位置にある第２側壁部が、底壁部と略平行に延びることにより、折畳み状態にある容器の高さをより低く抑えることができる。
【００１２】
手段３．前記寝かせ位置とされた前記第１側壁部は、前記保冷材収容部に設置された保冷材の上面、又は、前記各第２土台部の上面と当接し、前記底壁部の上面と略平行して延びることを特徴とする手段１又は２に記載の容器。
【００１３】
手段３によれば、寝かせ位置とされた第１側壁部が安定して支持され、第１側壁部に対して上方から力が加えられたとしても、第１側壁部や第１土台部の軸受部の変形や損傷等を抑止することができる。さらに、寝かせ位置にある第１側壁部が、底壁部と略平行に延びることにより、折畳み状態にある容器の高さをより低く抑えることができる。
【００１４】
尚、寝かせ位置にある第１側壁部は、保冷材収容部に保冷材が設置されている場合には、保冷材と当接し、保冷材が設置されていない場合には、第２土台部と当接するように構成してもよいし、保冷材が設置されていても第２土台部と当接するように構成してもよい。
【００１５】
手段４．一対の前記第１側壁部が前記寝かせ位置とされた場合に、前記一対の第１側壁部が同じ高さ位置で前記寝かせ位置とされるとともに、一対の前記第１土台部間の領域の略全体が上方から一対の前記第１側壁部により覆われ、
前記第２土台部において、前記第２側壁部が前記寝かせ位置にある場合に前記保冷材収容部と連通する開口部が設けられることを特徴とする手段１乃至３のいずれかに記載の容器。
【００１６】
手段４によれば、容器の折畳み状態において、一対の第１側壁部により底壁部の上方の略全体が覆われるため、折畳み状態にある容器の内側に対し上方から異物が進入するといった事態を抑制することができる。さらに、容器を折畳み状態とすることで、一対の第１側壁部により、保冷材収容部に収容された保冷材の上方への放熱（放冷）を抑制することができる。従って、例えば、容器同士を積み重ねることを可能とする場合に、最上段の容器を、保冷材を保冷材収容部に収容して、折畳み状態とすることで、最上段の容器を、断熱、及び、温度管理を図ることのできる蓋として使用することができる。
【００１７】
また、容器が折畳み状態にあっても、容器の側方位置から、第２土台部において形成される開口部を介して、保冷材収容部を確認（視認）することができる。従って、容器が折畳み状態にある場合に、保冷材収容部に対して保冷材が収容されているかの確認や、異物が収容されていないかの確認を比較的容易に行うことができる。加えて、容器が折畳み状態にある場合に、第２土台部の開口部を介して、寝かせ位置にある第１側壁部の下側の面（起立位置にある場合には内面）に対して指を掛け易くなり、容器の組立て、及び、折畳みに際しての作業性の向上を図ることができる。
【００１８】
手段５．上記手段１乃至４のいずれかに記載された容器を使用した容器の段積み構造において、
前記側壁部、及び、前記底壁構成部のうち少なくとも前記各側壁部の一部は、発泡合成樹脂製の断熱部材により構成され、
全ての前記側壁部が前記起立位置とされた状態である組立状態とされ、内側に保冷材が収容された容器と、
前記組立状態とされた容器の上側に載置され、全ての前記側壁部が前記寝かせ位置とされた状態である折畳み状態とされ、前記保冷材収容部に保冷材が収容された容器とを備えることを特徴とする容器の段積み構造。
【００１９】
手段５によれば、組立状態とされた容器の内側に、温度管理の必要な物品と、保冷材とを収容し、その上側に、折畳み状態とされ、保冷材収容部に保冷材が収容された容器を重ねる（被せる）ことで、折畳み状態とされた容器を、断熱、及び、温度管理の図ることのできる蓋として使用することができる。特に、各側壁部の一部は断熱部材により構成されていることから、保冷材収容部に収容された保冷材の放熱をより一層抑制することができる。このため、例えば、容器に被せる蓋部材、特に、断熱や温度調節の機能を具備する蓋部材を別途製造し、該蓋部材を容器と合わせて管理する場合に比べ、管理の効率化、及び、製造コストの削減等を図ることができる。また、蓋の代わりに容器を利用するとしても、蓋代わりにする容器を折畳み状態とすることで、積み重ねた容器の高さを極力抑制することができる。
【図面の簡単な説明】
【００２０】
【図１】組立状態にある折畳み容器を上面側から見た斜視図である。
【図２】折畳み状態にある折畳み容器を上面側から見た斜視図である。
【図３】折畳み容器を折畳み状態から組立状態とする過程を説明するための斜視図である。
【図４】組立状態にある折畳み容器に保冷材を収容した状態を示す斜視図である。
【図５】保冷材を保冷材収容部に収容して折畳み状態とする過程を説明するための斜視図である。
【図６】折畳み状態の折畳み容器を、折畳み容器の長手方向に沿って上下に切断した場合の断面を含む斜視図である。
【図７】保冷材を保冷材収容部に収容して折畳み状態とされた折畳み容器を、折畳み容器の長手方向に沿って上下に切断した場合の断面を含む斜視図である。
【図８】段積みされた折畳み容器を示す斜視図である。
【図９】段積みされた折畳み容器を、各折畳み容器の短手方向に沿って上下に切断した場合の断面を含む斜視図である。
【発明を実施するための形態】
【００２１】
以下に、一実施形態について図面を参照して説明する。図１等に示すように、容器としての折畳み容器１は、略矩形板状をなす底壁部３と、底壁部３の各長辺部に沿って底壁部３からそれぞれ上方に突出する第１土台部としての長辺側土台部４と、底壁部３の各短辺部に沿って底壁部３からそれぞれ上方に突出する第２土台部としての短辺側土台部５とを具備する底壁構成部２を備えている。さらに、折畳み容器１は、各長辺側土台部４に対してそれぞれ回動可能に設けられた第１側壁部としての長辺側側壁部６と、各短辺側土台部５に対してそれぞれ回動可能に設けられた第２側壁部としての短辺側側壁部７とを備えている。底壁構成部２、長辺側側壁部６、及び、短辺側側壁部７は、非発泡（ソリッド）のポリプロピレンにより構成されている。
【００２２】
図１〜図３に示すように、長辺側側壁部６、及び、短辺側側壁部７は、それぞれ長辺側土台部４、及び、短辺側土台部５の上方に立設される起立位置と、底壁部３の中央部側に寝かされる寝かせ位置との間を回動変位可能に構成されている。また、長辺側土台部４の底壁部３からの突出長は、短辺側土台部５の底壁部３からの突出長よりも長くなっており、長辺側側壁部６を回動可能に支持するための長辺側軸受部８の形成位置も、短辺側側壁部７を回動可能に支持するための短辺側軸受部９の形成位置よりも上方に位置している。さらに、各短辺側土台部５は、相対する一対の長辺側土台部４の内面同士を連結するようにして設けられている。加えて、長辺側側壁部６の横幅は、長辺側土台部４の長手方向の長さと同じに構成され、短辺側側壁部７の横幅は、短辺側土台部５の長手方向の長さと同じに構成されている。
【００２３】
このため、本実施形態では、全ての長辺側側壁部６、及び、短辺側側壁部７が起立位置とされた組立状態にある折畳み容器１を、全ての長辺側側壁部６、及び、短辺側側壁部７が寝かせ位置とされた折畳み状態とする場合には、一対の短辺側側壁部７を先に寝かせ位置へと変位させてから、長辺側側壁部６を寝かせ位置へと変位させる構成となっている。そして、図２、図６に示すように、折畳み容器１が折畳み状態とされた場合には、寝かせ位置とされた短辺側側壁部７が底壁部３の上方に重なるとともに、寝かせ位置とされた長辺側側壁部６が短辺側側壁部７の上方に重なるようになっている。
【００２４】
加えて、図３等に示すように、長辺側側壁部６には、内面の左右両側辺部から内側に突出する係止壁１１が設けられている。図１等に示すように、折畳み容器１が組立状態とされた場合には、短辺側側壁部７の外面の両側部が係止壁１１と当接し、これによって、短辺側側壁部７の外側への傾倒変位が防止される。さらに、長辺側側壁部６の内面側には、折畳み容器１が組立状態とされた場合に、短辺側側壁部７の内面の両側部と当接し、短辺側側壁部７の内側への傾倒変位する弾性係止片１２が設けられている。
【００２５】
さて、本実施形態の長辺側側壁部６の内面側には長辺側側壁断熱部材１４が装着され、短辺側側壁部７の内面側には短辺側側壁断熱部材１５が装着されている。より具体的に、長辺側側壁部６の内面側には、長辺側側壁断熱部材１４を収容する長辺側側壁断熱収容部１６が設けられ、短辺側側壁部７の内面側には、短辺側側壁断熱部材１５を収容する短辺側側壁断熱収容部１７が設けられている。以下、長辺側側壁部６の内面側に設けられ、長辺側側壁断熱収容部１６の外周（起立位置にある場合の上縁、下縁、及び、左右の側縁）を画定するリブを「長辺側囲繞リブ１８」とも称し、短辺側側壁部７の内面側に設けられ、短辺側側壁断熱収容部１７の外周を画定するリブを「短辺側囲繞リブ１９」とも称する。尚、本実施形態の長辺側側壁断熱部材１４、及び、短辺側側壁断熱部材１５は、それぞれが発泡ポリプロピレンにより一体的に構成されている。
【００２６】
図６、図９に示すように、長辺側側壁部６、及び、短辺側側壁部７の厚み方向における長辺側側壁断熱収容部１６、及び、短辺側側壁断熱収容部１７の深さは、それぞれ長辺側側壁断熱部材１４、及び、短辺側側壁断熱部材１５の厚みとほぼ同じとなるように構成されている。このため、長辺側側壁断熱部材１４、及び、短辺側側壁断熱部材１５が長辺側側壁部６、及び、短辺側側壁部７に装着された状態では、長辺側側壁断熱部材１４、及び、短辺側側壁断熱部材１５のうち折畳み容器１の内側に露出する表面と、長辺側囲繞リブ１８、及び、短辺側囲繞リブ１９の先端部とが略面一となる。
【００２７】
また、図６、図９に示すように、長辺側側壁部６、及び、短辺側側壁部７の内面側には、長辺側囲繞リブ１８、及び、短辺側囲繞リブ１９よりも突出長の短い補助リブ２０が設けられている。これに対し、長辺側側壁断熱部材１４、及び、短辺側側壁断熱部材１５には、補助リブ２０が相対的に挿入される補助溝部２１が設けられている。そして、長辺側側壁断熱部材１４、及び、短辺側側壁断熱部材１５を長辺側側壁部６、及び、短辺側側壁部７に装着することで、長辺側側壁断熱部材１４、及び、短辺側側壁断熱部材１５が長辺側囲繞リブ１８、及び、短辺側囲繞リブ１９の内周側に嵌着され、補助溝部２１に補助リブ２０が挿入される。これにより、長辺側側壁断熱部材１４、及び、短辺側側壁断熱部材１５の位置ずれ等が抑制され、長辺側側壁断熱部材１４、及び、短辺側側壁断熱部材１５の装着状態が好適に維持されるようになっている。
【００２８】
さらに、長辺側側壁部６、及び、短辺側側壁部７の内面側には、長辺側側壁部６、及び、短辺側側壁部７に装着された長辺側側壁断熱部材１４、及び、短辺側側壁断熱部材１５を係止するための係止部２２（図６、図９参照）が設けられている。本実施形態では、長辺側囲繞リブ１８、及び、短辺側囲繞リブ１９の先端部から、長辺側囲繞リブ１８、及び、短辺側囲繞リブ１９の内周側に突出する係止部２２と、長辺側囲繞リブ１８、及び、短辺側囲繞リブ１９の内周側において、補助リブ２０の一部を延長させた部位の先端部から側方に突出する係止部２２とが設けられ、長辺側側壁断熱部材１４、及び、短辺側側壁断熱部材１５が複数の係止部２２によってバランス良く保持されるようになっている。
【００２９】
また、係止部２２に係止される被係止部２３は、長辺側側壁断熱部材１４、及び、短辺側側壁断熱部材１５の表面において、各係止部２２と対応する部位に凹部（段差部）を形成することで構成されている。補助リブ２０の一部を延長させた部位の先端部に設けられた係止部２２に対応しては、長辺側側壁断熱部材１４、及び、短辺側側壁断熱部材１５に係止孔２４が設けられ、当該係止孔２４に隣接して、被係止部２３が設けられている。さらに、係止部２２は、側壁部６、７に装着された長辺側側壁断熱部材１４、及び、短辺側側壁断熱部材１５の厚みの範囲内に収まるように構成されている。これにより、係止部２２が長辺側側壁断熱部材１４、及び、短辺側側壁断熱部材１５の表面よりも折畳み容器１の内周側に突出し、折畳み容器１に収容された物品と接触する等の事態が回避される。
【００３０】
加えて、本実施形態では、長辺側側壁部６、及び、短辺側側壁部７には、その内面側に設けられた長辺側側壁断熱収容部１６、及び、短辺側側壁断熱収容部１７と、長辺側側壁部６、及び、短辺側側壁部７の外面側とを連通させるような孔部は形成されていない。さらに、長辺側側壁部６、及び、短辺側側壁部７の内面側には、長辺側囲繞リブ１８、短辺側囲繞リブ１９、及び、補助リブ２０等の各種リブが設けられる一方で、長辺側側壁部６、及び、短辺側側壁部７の外面側には基本的にリブが設けられていない。このため、長辺側側壁部６、及び、短辺側側壁部７の外面の大部分は同一平面上に延びる平坦面となっている。
【００３１】
また、本実施形態では、底壁構成部２の上面側には、底壁断熱部材２６が装着されている。より具体的に、図７等に示すように、底壁構成部２の底壁部３の上面には、格子状の底面リブ２７が設けられている。また、各長辺側土台部４は、底壁構成部２の内周側に開口し、長辺側土台部４の厚み方向において底壁断熱部材２６の一部（後述する土台対応部３１）を収容する土台断熱収容部２８を備えている。さらに、各長辺側土台部４のうち、その長手方向において長辺側軸受部８に対応する部位、及び、長辺側土台部４の長手方向両側部は、土台断熱収容部２８が設けられていない内壁残存部２９として構成されている。
【００３２】
図１、図６、図９に示すように、底壁断熱部材２６は、底壁部３の上面側に装着される底壁対応部３０と、長辺側土台部４の内面側に装着される土台対応部３１とを備え、底壁対応部３０と、土台対応部３１とが、発泡ポリプロピレンにより一体的に形成されている。底壁対応部３０の下面側には、底面リブ２７が嵌入する底溝部３２が設けられている。そして、底壁対応部３０の底溝部３２に底面リブ２７を挿入させることで、底壁対応部３０が、底壁部３の上方、かつ、長辺側土台部４及び短辺側土台部５で囲まれる領域に設置される。また、土台対応部３１は土台断熱収容部２８に収容される。長辺側土台部４の厚み方向における土台断熱収容部２８の深さは、土台対応部３１の厚みよりも深く構成されており、土台対応部３１は、基本的に、内壁残存部２９よりも底壁構成部２の内周側に突出しないように構成されている。
【００３３】
本実施形態の折畳み容器１は、長辺側側壁断熱部材１４、短辺側側壁断熱部材１５、及び、底壁断熱部材２６を長辺側側壁部６、短辺側側壁部７、及び、底壁構成部２に装着した状態のまま、長辺側側壁部６、及び、短辺側側壁部７を起立位置と、寝かせ位置とに変位可能に構成されている。
【００３４】
図１等に示すように、短辺側側壁部７の外面側には、凹状の持ち手部３３が設けられている。また、図６に示すように、短辺側側壁部７には、持ち手部３３が設けられることにより、短辺側側壁部７の内面側において副次的に持ち手対応凸部３４が設けられている。
【００３５】
その一方で、短辺側側壁断熱部材１５は、短辺側側壁部７の内面と対向する裏面側において、持ち手対応凸部３４が挿入される挿入凹部３５を備えている。さらに、短辺側側壁断熱部材１５は、表面側において、挿入凹部３５の反対面側の部位を含む部位に対し、挿入対応凸部３６を備えている。挿入対応凸部３６が設けられることにより、短辺側側壁断熱部材１５のうち挿入凹部３５が設けられている部位の適当な肉厚を確保することができる。
【００３６】
また、挿入対応凸部３６は、短辺側側壁断熱部材１５の短辺側側壁部７への装着状態において、短辺側囲繞リブ１９の先端部よりも折畳み容器１の内側（寝かせ位置にある場合には下方）に突出している。
【００３７】
これに対し、底壁断熱部材２６の底壁対応部３０は、上面側において、短辺側側壁部７が寝かせ位置とされた場合に、短辺側側壁断熱部材１５の挿入対応凸部３６が収容される許容凹部３７を備えている。そして、短辺側側壁部７が寝かせ位置とされた場合、挿入対応凸部３６が、許容凹部３７に収容され、短辺側側壁部７の短辺側囲繞リブ１９の先端部、及び、短辺側側壁断熱部材１５の表面が、底壁断熱部材２６の底壁対応部３０の上面に面で当接するようになっている。本実施形態では、一対の短辺側土台部５間の距離は、短辺側側壁部７の高さの２倍の長さよりも長く、両方の短辺側側壁部７に関し、短辺側側壁部７（短辺側囲繞リブ１９の先端部、及び、短辺側側壁断熱部材１５の表面）が、底壁構成部２（底壁断熱部材２６の底壁対応部３０）と面で当接するようになっている。また、寝かせ位置とされた短辺側側壁部７は、底壁部３（底壁対応部３０）の上面と略平行に延びている。
【００３８】
さて、本実施形態の折畳み容器１は、温度管理の必要な物品の運搬等に使用されることを意図しており、保冷材３９とセットで使用される機会も多くなることが想定される。保冷材３９を使用する場合には、例えば、図４に示すように、折畳み容器１を組立状態とし、底壁構成部２（底壁断熱部材２６の底壁対応部３０）に保冷材３９を載置する。そして、該保冷材３９の上方に物品を収容するようになっている。
【００３９】
また、本実施形態では、折畳み容器１が折畳み状態とされた場合に、寝かせ位置とされた短辺側側壁部７と、寝かせ位置とされた長辺側側壁部６との間に、保冷材３９を収容可能とする保冷材収容部４０が設けられるように構成されている。
【００４０】
より具体的には、短辺側土台部５は、複数（本例では４つ）設けられた短辺側軸受部９の間の部位において、短辺側軸受部９よりも上方に突出する複数（本例では３つ）の短辺側支持凸部４１を備えている。短辺側支持凸部４１間の距離は、保冷材３９の短辺部の幅よりも短くなっている。短辺側側壁部７を寝かせ位置とした場合、短辺側側壁部７の外面（寝かせ位置にある場合には上側を向いている面）は、短辺側軸受部９の上端部とほぼ同じ高さ位置（若干高い位置）となり、短辺側支持凸部４１の上端部よりも下方に位置している。
【００４１】
また、一対の長辺側土台部４間の距離は、長辺側側壁部６の高さの２倍の長さよりも若干長くなっており、一対の長辺側側壁部６を同じ高さ位置で寝かせ位置とすることができるように構成されている。さらに、長辺側側壁部６を寝かせ位置とした場合には、長辺側側壁部６の両側部の係止壁１１が、各短辺側土台部５の短辺側支持凸部４１の上面に当接し、支持されるようになっている。また、図２、図６等に示すように、寝かせ位置とされた一対の長辺側側壁部６は、その上辺部同士が近接して対向するような格好で、底壁部３（底壁対応部３０）の上面と略平行に延びている。
【００４２】
さらに、本実施形態では、寝かせ位置とされた短辺側側壁部７と、寝かせ位置とされた長辺側側壁部６との間の距離が、保冷材３９の厚みよりも長くなるように構成し、寝かせ位置とされた短辺側側壁部７と、寝かせ位置とされた長辺側側壁部６との間に、前記保冷材収容部４０を形成することとしている。尚、保冷材収容部４０の高さ（寝かせ位置とされた短辺側側壁部７と、寝かせ位置とされた長辺側側壁部６との間の距離）としては、短辺側側壁部７の厚みよりも大きいことが好ましく、さらに、短辺側側壁部７の厚みの２倍よりも小さいことが好ましい。
【００４３】
そして、図３に示すように、一対の短辺側側壁部７を寝かせ位置とした状態で、図５に示すように、短辺側側壁部７の上方に保冷材３９を載置してから、図２に示すように、一対の長辺側側壁部６を寝かせ位置とすることで、保冷材３９が折畳み状態にある折畳み容器１の保冷材収容部４０に収容された状態となる。
【００４４】
また、折畳み容器１の折畳み状態においては、一対の長辺側土台部４間の領域の略全体が上方から一対の長辺側側壁部６によって覆われている。このため、上方から保冷材収容部４０を視認不可能となっている。この点、本実施形態では、折畳み容器１が折畳み状態にある場合に、短辺側土台対応部３１の短辺側軸受部９と、寝かせ位置にある長辺側側壁部６の係止壁１１との間に、保冷材収容部４０と連通する開口部４２が設けられるようになっている。これにより、当該開口部４２を介して、保冷材収容部４０を視認可能となっている。尚、折畳み容器１の組立状態においては、短辺側側壁部７が寝かせ位置にある場合に短辺側土台部５において形成される前記開口部４２が、短辺側側壁部７によって閉塞されるようになっている。
【００４５】
また、本実施形態の折畳み容器１は、組立状態にある折畳み容器１同士を図８、図９のように積み重ねた（段積みした）場合に、下側の折畳み容器１の上辺部の形状と、上側の折畳み容器１の下面の形状とが合致し、折畳み容器１同士の水平方向への位置ずれが防止されるようになっている。尚、本実施形態では、折畳み状態にある折畳み容器１同士を安定して段積みすることも可能となっている。
【００４６】
さらに、本実施形態では、折畳み容器１に温度管理の必要な物品、及び、保冷材３９を収容して、運搬等を行う場合には、物品を収容した最上段の折畳み容器１に対し、保冷材収容部４０に保冷材３９が収容された折畳み状態の折畳み容器１を被せる（段積みする）ようになっている。これにより、各折畳み容器１に収容された物品は、保冷材３９が設けられた層によって上下に挟まれることとなり、物品の温度管理がより確実に行われるようになっている。
【００４７】
以上詳述したように、本実施形態によれば、折畳み容器１が折畳み状態とされた場合に、寝かせ位置とされた短辺側側壁部７と、寝かせ位置とされた長辺側側壁部６との間に、保冷材３９を収容可能とする保冷材収容部４０が設けられるように構成されている。つまり、非使用時の保管・運搬効率に優れる折畳み容器１を折畳み状態としても、保冷材３９を短辺側側壁部７と長辺側側壁部６との間に収容することができる。このように、保冷材３９が折畳み状態にある折畳み容器１の内側に収容されることで、例えば、保冷材３９を折畳み容器１とは別に保管するような場合に比べ、保冷材３９の管理のし易さを飛躍的に向上させることができる。従って、保冷材３９とセットで使用されるような容器（折畳み容器１）の非使用時の保管・運搬効率を高めるとともに、保冷材３９についても好適に保管することができる。また、折畳み容器１の折畳み状態では、保冷材３９の上方において長辺側側壁部６により蓋がされる格好となるため、保冷材３９の脱落等を防止することができる。
【００４８】
また、短辺側側壁部７が寝かせ位置とされた場合に、短辺側側壁部７の内面（短辺側囲繞リブ１９の先端部、及び、短辺側側壁断熱部材１５の表面）が、底壁構成部２の底壁部３（底壁断熱部材２６の底壁対応部３０）と面で当接するようになっている。このため、寝かせ位置とされた短辺側側壁部７が安定して支持され、寝かせ位置とされた短辺側側壁部７の上側に保冷材３９が載置される等しても、短辺側側壁部７や短辺側土台部５の短辺側軸受部９の変形や損傷等を抑止することができる。さらに、寝かせ位置にある短辺側側壁部７が、底壁部３（底壁対応部３０）の上面と略平行して延びることにより、折畳み状態にある折畳み容器１の高さをより低く抑えることができる。
【００４９】
さらに、長辺側側壁部６が寝かせ位置とされた場合に、長辺側側壁部６の左右両側部の係止壁１１が、各短辺側土台部５の短辺側支持凸部４１の上面と当接するようになっている。このため、寝かせ位置とされた長辺側側壁部６が安定して支持され、寝かせ位置とされた長辺側側壁部６に対して上方から力が加えられたとしても、長辺側側壁部６や長辺側土台部４の長辺側軸受部８の変形や損傷等を防止することができる。さらに、寝かせ位置にある長辺側側壁部６が、底壁部３（底壁対応部３０）の上面と略平行して延びることにより、折畳み状態にある折畳み容器１の高さをより低く抑えることができる。
【００５０】
加えて、折畳み容器１の折畳み状態において、一対の長辺側側壁部６により底壁部３の上方の略全体（一対の長辺側土台部４の間の領域の全体）が覆われるため、折畳み状態にある折畳み容器１の内側に対し上方から異物が進入するといった事態を抑制することができる。
【００５１】
さらに、折畳み容器１を折畳み状態とすることで、一対の長辺側側壁部６により、保冷材収容部４０に収容された保冷材３９の上方への放熱（放冷）を抑制することができる。特に、本実施形態では、底壁構成部２の底壁部３、及び、長辺側土台部４と、長辺側側壁部６と、短辺側側壁部７とにおいて、底壁断熱部材２６（底壁対応部３０、及び、土台対応部３１）と、長辺側側壁断熱部材１４と、短辺側側壁断熱部材１５とが装着されていることから、保冷材収容部４０に収容された保冷材３９の放熱をより一層抑制することができる。
【００５２】
従って、折畳み容器１の段積みを行う場合に、最上段の折畳み容器１を、保冷材３９を保冷材収容部４０に収容して、折畳み状態とすることで、最上段の折畳み容器１を、断熱、及び、温度管理を図ることのできる蓋として使用することができる。このため、例えば、折畳み容器１に被せる蓋部材、特に、断熱や温度調節の機能を具備する蓋部材を別途製造し、該蓋部材を折畳み容器１と合わせて管理する場合に比べ、管理の効率化、及び、製造コストの削減等を図ることができる。また、蓋の代わりに折畳み容器１を利用するとしても、蓋代わりにする折畳み容器１を折畳み状態とすることで、段積みされた折畳み容器１の高さを極力抑制することができる。
【００５３】
加えて、折畳み容器１が折畳み状態にあっても、折畳み容器１の側方位置から、短辺側土台部５において形成される開口部４２を介して、保冷材収容部４０を確認（視認）することができる。従って、折畳み容器１が折畳み状態にある場合に、保冷材収容部４０に対して保冷材３９が収容されているかの確認や、異物が収容されていないかの確認を比較的容易に行うことができる（開口部４２を介して保冷材収容部４０の異物を取出すことも可能である）。加えて、折畳み容器１が折畳み状態にある場合に、短辺側土台部５の開口部４２を介して、寝かせ位置にある長辺側側壁部６の下側の面（起立位置にある場合には内面）に対して指を掛け易くなり、折畳み容器１の組立て、及び、折畳みに際しての作業性の向上を図ることができる。
【００５４】
尚、上記実施形態の記載内容に限定されず、例えば次のように実施してもよい。勿論、以下において例示しない他の応用例、変更例も当然可能である。
【００５５】
（ａ）上記実施形態では、長辺側側壁部６、及び、短辺側側壁部７の内面側に長辺側側壁断熱部材１４、及び、短辺側側壁断熱部材１５が装着されるとともに、底壁構成部２の上面側に底壁断熱部材２６が装着されているが、特にこのような構成に限定されるものではない。例えば、底壁断熱部材２６を省略してもよいし、長辺側側壁断熱部材１４、及び、短辺側側壁断熱部材１５を省略してもよい。また、例えば、長辺側側壁部６、短辺側側壁部７、及び、底壁構成部２を発泡材で構成し、側壁部は底壁構成部に対し連結部材（ピンヒンジや蝶番等）で回動可能に連結されるように構成してもよい。さらに、長辺側側壁部６、短辺側側壁部７、及び、底壁構成部２をソリッド材のみで構成してもよい。
【００５６】
（ｂ）上記実施形態では、一対の短辺側側壁部７が底壁構成部２の上方に寝かせ位置とされた後、当該寝かせ位置とされた一対の短辺側側壁部７の上方に対し一対の長辺側側壁部６を寝かせ位置することが可能に構成されているが、先に一対の長辺側側壁部６を底壁構成部２の上方に寝かせ位置とした後、一対の短辺側側壁部７を寝かせ位置とすることができるような構成としてもよい。また、上記実施形態では、折畳み容器１の折畳み状態において、短辺側側壁部７同士が上下に重なったり、長辺側側壁部６同士が上下に重なったりすることのないように構成されているが、重なるように構成してもよい。この場合、一対の短辺側側壁部７のうち先に寝かせ位置とされた短辺側側壁部７（短辺側側壁断熱部材１５）は、底壁構成部２の底壁部３と略平行して延び、底壁部３（底壁断熱部材２６の底壁対応部３０）と面で当接することとしてもよい。
【００５７】
（ｃ）上記実施形態では、折畳み容器１が折畳み状態とされた場合に、保冷材収容部４０に保冷材３９が収容されている状態であっても、長辺側側壁部６の係止壁１１が、短辺側土台部５の短辺側支持凸部４１の上面に当接して支持されるように構成されているが、保冷材収容部４０に保冷材３９が収容されている状態では、長辺側側壁部６（長辺側側壁断熱部材１４）が保冷材３９に当接して支持されるように構成してもよい。
【００５８】
また、上記実施形態では、折畳み容器１が折畳み状態にある場合に、短辺側土台部５において、保冷材収容部４０と連通する開口部４２が形成されるように構成されているが、折畳み容器１が折畳み状態にある場合でも、短辺側土台部５と、長辺側側壁部６（係止壁１１）との間に前記開口部４２が形成されることのないように構成してもよい。尚、上記実施形態では特に言及していないが、短辺側側壁部７の短辺側側壁断熱収容部１７は、短辺側側壁部７のうち起立位置とされることで、折畳み容器１が折畳み状態にある場合に短辺側土台部５において形成される開口部４２を閉塞することとなる部位にまで拡張形成されている。
【００５９】
（ｄ）上記実施形態では、側壁断熱部材１４、１５の厚みが、側壁断熱収容部１６、１７の深さとほぼ同じ（若干薄い）であり、側壁断熱部材１４、１５の厚み全体が側壁部６、７の厚みに収まるように構成されているが、側壁断熱部材１４、１５の厚みを側壁断熱収容部１６、１７の深さよりも厚くしたり、薄くしたりしてもよい。但し、側壁断熱部材１４、１５の厚みと、側壁断熱収容部１６、１７の深さとをほぼ同じとすることで、断熱性を極力向上させ、かつ、折畳み容器１の側壁部６、７の厚みを極力薄くするといった作用効果がより一層奏される上、側壁断熱部材１４、１５の全体が側壁断熱収容部１６、１７の内側に収まることで、側壁断熱部材１４、１５の損傷をより一層抑制することができる。
【００６０】
尚、上記実施形態において、底壁構成部２（底壁断熱部材２６の底壁対応部３０）の上面等において、折畳み容器１が組立状態にある場合の保冷材３９の位置決めを行う組立時位置決め部を設けたり、短辺側側壁部７の外面において、折畳み容器１が折畳み状態にある場合の保冷材３９の位置決めを行う折畳み時位置決め部を設けたりすることとしてもよい。
【００６１】
また、上記実施形態の保冷材３９としては、容器内温度を比較的低い温度に冷却するものに限定されず、比較的高い温度を保つ保温材であってもよい。さらに、上記実施形態では、組立状態の折畳み容器１に対して、保冷材３９が、底壁部３（底壁断熱部材２６の底壁対応部３０）に載置される格好で収容されるように構成されているが、側壁部７、８の内面に立て掛けるようにして収容したり、側壁部７、８の内面側に保冷材３９を収容する凹部を設けたりすることとしてもよい。尚、上記実施形態の保冷材収容部４０において、保冷材３９以外のものを収容することも可能である。
【００６２】
（ｅ）上記実施形態では、底壁構成部２、長辺側側壁部６、及び、短辺側側壁部７はソリッドのポリプロピレンにより構成されているが、ポリエチレン、ＰＥＴ、ポリアミド等その他の樹脂材料により構成されることとしてもよい。さらに、側壁断熱部材１４、１５、及び、底壁断熱部材２６は、発泡ポリプロピレンにより構成されているが、発泡ポリエチレン、発泡スチロール、発泡ポリウレタン等その他の発泡樹脂材料により構成されることとしてもよい。
【符号の説明】
【００６３】
１…折畳み容器、２…底壁構成部、３…底壁部、４…長辺側土台部、５…短辺側土台部、６…長辺側側壁部、７…短辺側側壁部、８…長辺側軸受部、９…短辺側軸受部、１４…長辺側側壁断熱部材、１５…短辺側側壁断熱部材、１６…長辺側側壁断熱収容部、１７…短辺側側壁断熱収容部、１８…長辺側囲繞リブ、１９…短辺側囲繞リブ、２６…底壁断熱部材、３０…底壁対応部、３１…土台対応部、３３…持ち手部、３９…保冷材、４０…保冷材収容部、４１…短辺側支持凸部、４２…開口部。
【図１】
2018172126.tif 000003
【図２】
2018172126.tif 000004
【図３】
2018172126.tif 000005
【図４】
2018172126.tif 000006
【図５】
2018172126.tif 000007
【図６】
2018172126.tif 000008
【図７】
2018172126.tif 000009
【図８】
2018172126.tif 000010
【図９】
2018172126.tif 000011